(57)【要約】【課題】テーブルローラを駆動するためのインバータと誘導電動機の従来の回路構成においては、インバータ１台に対して同一仕様の誘導電動機を複数台並列に接続して運転している。電源電圧が４００Ｖ級の電源でインバータと誘導電動機間の配線長が長い場合、各々の誘導電動機に１２５０Ｖ以上のサージ電圧が印可され誘導電動機が焼損する可能性がある。【解決手段】インバータ１台に対しｎ台の同一仕様の誘導電動機を接続するホットランテーブルのシステムにおいてインバータに対し誘導電動機を直列接続することにより個々の誘導電動機の受電電圧を下げることにより誘導電動機受電端においてサージ電圧の影響を受けない回路構成とする。【選択図】図４
2009219228.tif 000002
【特許請求の範囲】
【請求項１】
誘導電動機の回転軸に設けられたテーブルローラが夫々平行に配置された複数の誘導電動機を並列に駆動する鉄鋼製造設備において、
前記複数の誘導電動機を駆動するインバータを備え、前記インバータに配線接続され、前記インバータからの出力により駆動される前記複数の誘導電動機の誘導電動機受電端での電圧の跳ね上がりが前記誘導電動機受電端の誘導電動機の耐サージ電圧を超えないように前記複数の誘導電動機が直列接続されたテーブルローラ用誘導電動機を備えた鉄鋼製造設備。
【請求項２】
請求項１に記載のテーブルローラ用誘導電動機を備えた鉄鋼製造設備において、
前記インバータに回線接続された前記誘導電動機が、少なくとも２以上の誘導電動機受電端を有し、各誘導電動機受電端での電圧の跳ね上がりが前記各誘導電動機受電端の誘導電動機の耐サージ電圧を超えないように前記各誘導電動機受電端に属する前記複数の誘導電動機が直列接続され、前記各誘導電動機受電端が並列接続されたテーブルローラ用誘導電動機を備えた鉄鋼製造設備。
【請求項３】
請求項１に記載の複数のテーブルローラ用誘導電動機を備えた鉄鋼製造設備において、
前記インバータが複数のインバータにより構成され、前記複数のインバータの各インバータに配線接続され、前記各インバータからの出力により駆動される複数の誘導電動機の組の各誘導電動機受電端での電圧の跳ね上がりが前記各誘導電動機受電端の誘導電動機の耐サージ電圧を超えないように前記各インバータに属する複数の誘導電動機が直列接続され、前記各インバータが並列接続されたテーブルローラ用誘導電動機を備えた鉄鋼製造設備。
【請求項４】
誘導電動機の回転軸に設けられたテーブルローラが夫々平行に配置された複数の誘導電動機を並列に駆動する鉄鋼製造設備のテーブルローラ用誘導電動機の駆動方法において、
インバータからの出力により複数の誘導電動機を駆動し、前記インバータから前記複数の誘導電動機に配線接続される誘導電動機受電端での電圧の跳ね上がりが前記誘導電動機受電端の誘導電動機の耐サージ電圧を超えないように前記複数の誘導電動機を直列接続して駆動することを特徴とする鉄鋼製造設備のテーブルローラ用誘導電動機の駆動方法。
【請求項５】
請求項４に記載の鉄鋼製造設備のテーブルローラ用誘導電動機の駆動方法において、
前記インバータに配線接続された前記誘導電動機が、少なくとも２以上の誘導電動機受電端を有し、各誘導電動機受電端での電圧の跳ね上がりが前記各誘導電動機受電端の誘導電動機の耐サージ電圧を超えないように各誘導電動機受電端に属する前記複数の誘導電動機を直列接続し、前記各誘導電動機受電端を並列接続して駆動することを特徴とする鉄鋼製造設備のテーブルローラ用誘導電動機の駆動方法。
【請求項６】
請求項４に記載の鉄鋼製造設備のテーブルローラ用誘導電動機の駆動方法において、
前記インバータが複数のインバータにより構成され、前記複数のインバータの各インバータに配線接続され、前記各インバータからの出力により駆動される複数の誘導電動機の組の各誘導電動機受電端での電圧の跳ね上がりが前記各誘導電動機受電端の誘導電動機の耐サージ電圧を超えないように前記各インバータに属する複数の誘導電動機を直列接続し、前記複数のインバータを並列接続して駆動することを特徴とする鉄鋼製造設備のテーブルローラ用誘導電動機の駆動方法。
【発明の詳細な説明】
【技術分野】
【０００１】
本発明は、複数のテーブルローラ用誘導電動機を備えた鉄鋼製造設備及び鉄鋼製造設備用テーブルローラ誘導電動機の駆動方法に関する。
【背景技術】
【０００２】
鉄鋼製造設備のテーブルローラ用誘導電動機においては、図１に示すように同一仕様の誘導電動機を運転する場合にはインバータ１台に対し誘導電動機をｎ台接続して運転する方法がとられている。図２に示すようにインバータ９に対して複数の誘導電動機１０が並列に接続され、図３に示すように、インバータ１台に対しｎ台のモートルが並列に接続されて運転されていた。
【０００３】
また、例えば、特許文献１には、二台の電動機のそれぞれの出力を機械的に連結した連結型の電動機の巻線を直列に接続して両モータの負荷分担のバラツキを小さくしてモータ又は連結器の損傷を回避するインバータ駆動電動機が記載され、特許文献２には、電流の大きさが制限されているモータ駆動回路において複数のモータを直列接続して電流制限がない場合と同等のトルクを発生するモータ駆動方法が記載されており、また、特許文献３には、２台の電動機の界磁巻線を直列接続し圧延機の負荷バランスを制御する方法が記載されている。
【特許文献１】特開平０１−３０８１９６号公報
【特許文献２】特開平０９−０７０１９８号公報
【特許文献３】特開平０４−３４４１８８号公報
【発明の開示】
【発明が解決しようとする課題】
【０００４】
複数の誘導電動機の回転軸に設けられたテーブルローラを平行に配置した鉄鋼製造設備のテーブルローラ用誘導電動機において、受電電源が４００Ｖ級のインバータで運転する誘導電動機の場合、誘導電動機の台数が多くインバータと誘導電動機の配線長が長い場合、誘導電動機端にサージ電圧が発生し誘導電動機の絶縁を破壊し焼損するおそれがあるという問題点があった。
【０００５】
例えば、図１に示すように、インバータ１台に対しｎ台のモートルが並列に接続されていて、この場合電源電圧１が４００Ｖ級の場合、各々の誘導電動機の定格電圧は、４００Ｖであり配線長が長い場合サージ電圧の影響を受ける。この本回路の場合のインバータ１４に流れる電流値１５はｎ台の誘導電動機の電流値１６の合計となる。
Ｖ１  ＝  Ｖ７１            ・・・（１）
Ｉ５１  ＝  Ｉ６１  ×  ｎ  ・・・（２）
図２に示すように、インバータの出力９から誘導電動機の受電端１０までの配線長が長い場合反射により誘導電動機受電端１０での電圧の跳ね上がりが耐サージ電圧の１２５０Ｖを超えることがあり誘導電動機を焼損させるおそれがあるという問題点があった。
【課題を解決するための手段】
【０００６】
本発明の誘導電動機の回転軸に設けられたテーブルローラが夫々平行に配置された複数の誘導電動機を並列に駆動する鉄鋼製造設備、あるいは、鉄鋼製造設備のテーブルローラ用誘導電動機の駆動方法では、前記複数の誘導電動機を駆動するインバータを備え、前記インバータに配線接続され、前記インバータからの出力により駆動される前記複数の誘導電動機の誘導電動機受電端での電圧の跳ね上がりが前記誘導電動機受電端の誘導電動機の耐サージ電圧を超えないように前記複数の誘導電動機が直列接続されて駆動されることを特徴とする。
【発明の効果】
【０００７】
本発明によれば、テーブルローラを平行に配置した鉄鋼製造設備のテーブルローラ用誘導電動機において、誘導電動機端に発生するサージ電圧を抑制することができ、インバータと誘導電動機の送配線長も短くすることが出来る。
【発明を実施するための最良の形態】
【０００８】
以下、本発明の実施の形態について、図面を参照して説明する。
【実施例１】
【０００９】
図１は、本発明の実施例１の鉄鋼製造設備のテーブルローラ用誘導電動機の全体構成を示している。図１において、１は３相交流電源、２はブレーカー、３はマグネットコンタクタ、４はインバータ、５はグループスタータ盤、６は誘導電動機、７はテーブルローラ、８は材料を示している。図１において、複数の誘導電動機６の回転軸に設けられたテーブルローラ７は互いに平行に配置されていて、複数の誘導電動機６の回転に伴い、テーブルローラ７上に戴置された材料８を搬送する。
【００１０】
図４は、本発明の実施例１の回路を示している。本回路は、インバータ１台に対しモートルを直列に接続する。このように直列に接続した場合の誘導電動機の巻線回路接続図を図５に示す。図５において、第一の誘導電動機は三相コイルｒ１、ｓ１、ｔ１を備え、第二の誘導電動機は三相コイルｒ２、ｓ２、ｔ２を備え、第三の誘導電動機は三相コイルｒ３、ｓ３、ｔ３を備え、第四の誘導電動機は三相コイルｒ４、ｓ４、ｔ４を備えている。直列接続の場合には、第一の誘導電動機のｒ相コイルｒ１は、第二の誘導電動機のｒ相コイルｒ２、第三の誘導電動機のｒ相コイルｒ３、第四の誘導電動機のｒ相コイルｒ４に接続され、同様に、第一の誘導電動機のｓ相コイルｓ１は、第二の誘導電動機のｓ相コイルｓ２、第三の誘導電動機のｓ相コイルｓ３、第四の誘導電動機のｓ相コイルｓ４に接続され、第一の誘導電動機のｔ相コイルｔ１は、第二の誘導電動機のｔ相コイルｔ２、第三の誘導電動機のｔ相コイルｔ３、第四の誘導電動機のｔ相コイルｔ４に接続される。
【００１１】
本回路のようにｎ台の誘導電動機を直列に接続することによりｎ台の誘導電動機をインバータ側より見た場合、回路図６のように誘導電動機のｒ相コイルｒ１、ｒ相コイルｒ２、ｒ相コイルｒ３、ｒ相コイルｒ４が接続され、また、ｓ相コイルｓ１、ｓ相コイルｓ２、ｓ相コイルｓ３、ｓ相コイルｓ４が接続され、また、ｔ相コイルｔ１、ｔ相コイルｔ２、ｔ相コイルｔ３、ｔ相コイルｔ４が接続された一台の誘導電動機と見なすことが出来る。
【００１２】
本回路の場合の誘導電動機端での電圧は、インバータの受電電圧の１／ｎとなる。
Ｖ７２  ＝  Ｖ１  ／  ｎ  ・・・（３）
但し、電流は、各々の誘導電動機の電圧を低く設計するために大きくなり、
Ｉ５２  ＝  Ｉ６２  ＝  ｎ  ×  Ｉ６１  ・・・（４）
となる。
但し、直列接続の場合と並列接続の場合の電流を比較すると
Ｉ５１  ＝  ｎ  ×  Ｉ６１  ・・・（５）
Ｉ５２  ＝  Ｉ６２  ＝  ｎ  ×  Ｉ６１  ・・・（６）
となり、
Ｉ５１  ＝  Ｉ５２  ・・・（７）
となるため、並列接続と直列接続の場合でもインバータに対する電流値Ｉ５１、Ｉ５２は同一であるためインバータの容量は、同一容量とすることができる。
【００１３】
実施例１の場合に、第一〜第四の複数の誘導電動機の誘導電動機受電端（インバータから第一の誘電電動機への入力部であるＲ，Ｓ，Ｔ端子部分）に発生する電圧の跳ね上がりが、前記誘導電動機受電端の第一の誘導電動機の三相コイルｒ１、ｓ１、ｔ１の耐サージ電圧を超えないように複数の誘導電動機が直列接続される。例えば、電源電圧１が４００Ｖ級の場合、各々の誘導電動機の定格電圧は４００Ｖであり、第一〜第四の複数の誘導電動機が直列接続の場合、誘導電動機端での電圧は、インバータの受電電圧の１／４である１００Ｖとなるが、この電圧１００Ｖの電圧の跳ね上がりが前記誘導電動機受電端の誘導電動機の耐サージ電圧を超えないように前記複数の誘導電動機を直列接続して鉄鋼製造設備のテーブルローラ用誘導電動機を駆動する。
【実施例２】
【００１４】
図７は、本発明の実施例２の鉄鋼製造設備のテーブルローラ用誘導電動機の全体構成を示している。図７において、１は３相交流電源、２はブレーカー、３はマグネットコンタクタ、４はインバータ、５はグループスタータ盤、６は誘導電動機、７はテーブルローラ、８は材料を示している。図７において、複数の誘導電動機６の回転軸に設けられたテーブルローラ７は互いに平行に配置されていて、複数の誘導電動機６の回転に伴い、テーブルローラ７上に戴置された材料８を搬送する。
【００１５】
図８は、本発明の実施例２のインバータ１台に対し複数のモートルを直列に接続した場合の誘導電動機の巻線回路接続図を示す。図８において、第一の誘導電動機は三相コイルｒ１、ｓ１、ｔ１を備え、第二の誘導電動機は三相コイルｒ２、ｓ２、ｔ２を備え、第三の誘導電動機は三相コイルｒ３、ｓ３、ｔ１３備え、第四の誘導電動機は三相コイルｒ４、ｓ４、ｔ４、第五の誘導電動機は三相コイルｒ５、ｓ５、ｔ５を備え、第六の誘導電動機は三相コイルｒ６、ｓ６、ｔ６を備え、第七の誘導電動機は三相コイルｒ７、ｓ７、ｔ７を備え、第八の誘導電動機は三相コイルｒ８、ｓ８、ｔ８を備えている。
【００１６】
第一の誘導電動機のｒ相コイルｒ１は、第二の誘導電動機のｒ相コイルｒ２、第三の誘導電動機のｒ相コイルｒ３、第四の誘導電動機のｒ相コイルｒ４に接続され、同様に、第一の誘導電動機のｓ相コイルｓ１は、第二の誘導電動機のｓ相コイルｓ２、第三の誘導電動機のｓ相コイルｓ３、第四の誘導電動機のｓ相コイルｓ４に接続され、第一の誘導電動機のｔ相コイルｔ１は、第二の誘導電動機のｔ相コイルｔ２、第三の誘導電動機のｔ相コイルｔ３、第四の誘導電動機のｔ相コイルｔ４に接続されて、直列接続される。
【００１７】
また、第五の誘導電動機のｒ相コイルｒ５は、第六の誘導電動機のｒ相コイルｒ６、第七の誘導電動機のｒ相コイルｒ７、第八の誘導電動機のｒ相コイルｒ８に接続され、同様に、第五の誘導電動機のｓ相コイルｓ５は、第六の誘導電動機のｓ相コイルｓ６、第七の誘導電動機のｓ相コイルｓ７、第八の誘導電動機のｓ相コイルｓ８に接続され、第五の誘導電動機のｔ相コイルｔ５は、第六の誘導電動機のｔ相コイルｔ６、第七の誘導電動機のｔ相コイルｔ７、第八の誘導電動機のｔ相コイルｔ８に接続されて、直列接続される。そして、これら第一〜第四の誘導電動機の直列接続と、第五〜第八の誘導電動機の直列接続とが並列接続される。
【００１８】
本回路のようにｎ台の誘導電動機を直列に接続することによりｎ台の誘導電動機をインバータ側より見た場合、図９のように誘導電動機のｒ相コイルｒ１、ｒ相コイルｒ２、ｒ相コイルｒ３、ｒ相コイルｒ４に接続され、また、ｓ相コイルｓ１、ｓ相コイルｓ２、ｓ相コイルｓ３、ｓ相コイルｓ４が接続され、また、ｔ相コイルｔ１、ｔ相コイルｔ２、ｔ相コイルｔ３、ｔ相コイルｔ４に接続された誘導電動機と、ｒ相コイルｒ５、ｒ相コイルｒ６、ｒ相コイルｒ７、ｒ相コイルｒ８が接続され、また、ｓ相コイルｓ５、ｓ相コイルｓ６、ｓ相コイルｓ７、ｓ相コイルｓ８が接続され、また、ｔ相コイルｔ５、ｔ相コイルｔ６、ｔ相コイルｔ７、ｔ相コイルｔ８が接続された誘導電動機とが並列に接続された２台の誘導電動機と見なすことが出来る。
【００１９】
実施例２の場合に、第一〜第四の複数の誘導電動機の複数の誘導電動機の誘導電動機受電端（インバータから第一の誘電電動機への入力部であるＲ，Ｓ，Ｔ端子部分）に発生する電圧の跳ね上がりが、前記誘導電動機受電端の第一の誘導電動機の第一の誘導電動機は三相コイルｒ１、ｓ１、ｔ１の耐サージ電圧を超えないように複数の誘導電動機が直列接続され、第五〜第六の複数の誘導電動機の複数の誘導電動機の誘導電動機受電端（インバータから第五の誘電電動機への入力部であるＲ，Ｓ，Ｔ端子部分）に発生する電圧の跳ね上がりが、前記誘導電動機受電端の第五の誘導電動機の三相コイルｒ１、ｓ１、ｔ１の耐サージ電圧を超えないように複数の誘導電動機が直列接続される。なお、実施例２では、第一〜第四の複数の誘導電動機を４つの誘導電動機として、第五〜第八の複数の誘導電動機を４つの誘導電動機として説明をしているが、誘導電動機の数は誘導電動機受電端の第誘導電動機の三相コイルの耐サージ電圧を超えないように設定される。また、実施例２では２組の直列接続が並列接続される例について記載したが、誘導電動機受電端の第誘導電動機の三相コイルの耐サージ電圧を超えないように設定可能であれば、並列接続される誘導電動機の組の数は２組に限らず、更に３以上の組を並列接続するように設定が可能である。
【実施例３】
【００２０】
図１０は、本発明の実施例３の鉄鋼製造設備のテーブルローラ用誘導電動機の全体構成を示している。図１０において、１は３相交流電源、２はブレーカー、３はマグネットコンタクタ、４は２台のインバータ、５は２台のグループスタータ盤、６は誘導電動機、７はテーブルローラ、８は材料を示している。図１０において、複数の誘導電動機６の回転軸に設けられたテーブルローラ７は互いに平行に配置されていて、複数の誘導電動機６の回転に伴い、テーブルローラ７上に戴置された材料８を搬送する。
【００２１】
図１１は、本発明の実施例３のインバータ２台に対し、夫々、複数のモートルを直列に接続した場合の誘導電動機の巻線回路接続図を示す。図１１において、第一の誘導電動機は三相コイルｒ１、ｓ１、ｔ１を備え、第二の誘導電動機は三相コイルｒ２、ｓ２、ｔ２を備え、第三の誘導電動機は三相コイルｒ３、ｓ３、ｔ１３備え、第四の誘導電動機は三相コイルｒ４、ｓ４、ｔ４、第五の誘導電動機は三相コイルｒ５、ｓ５、ｔ５を備え、第六の誘導電動機は三相コイルｒ６、ｓ６、ｔ６を備え、第七の誘導電動機は三相コイルｒ７、ｓ７、ｔ７を備え、第八の誘導電動機は三相コイルｒ８、ｓ８、ｔ８を備えている。
【００２２】
第一の誘導電動機のｒ相コイルｒ１は、第二の誘導電動機のｒ相コイルｒ２、第三の誘導電動機のｒ相コイルｒ３、第四の誘導電動機のｒ相コイルｒ４に接続され、同様に、第一の誘導電動機のｓ相コイルｓ１は、第二の誘導電動機のｓ相コイルｓ２、第三の誘導電動機のｓ相コイルｓ３、第四の誘導電動機のｓ相コイルｓ４に接続され、第一の誘導電動機のｔ相コイルｔ１は、第二の誘導電動機のｔ相コイルｔ２、第三の誘導電動機のｔ相コイルｔ３、第四の誘導電動機のｔ相コイルｔ４に接続されて、直列接続される。
【００２３】
また、第五の誘導電動機のｒ相コイルｒ５は、第六の誘導電動機のｒ相コイルｒ６、第七の誘導電動機のｒ相コイルｒ７、第八の誘導電動機のｒ相コイルｒ８に接続され、同様に、第五の誘導電動機のｓ相コイルｓ５は、第六の誘導電動機のｓ相コイルｓ６、第七の誘導電動機のｓ相コイルｓ７、第八の誘導電動機のｓ相コイルｓ８に接続され、第五の誘導電動機のｔ相コイルｔ５は、第六の誘導電動機のｔ相コイルｔ６、第七の誘導電動機のｔ相コイルｔ７、第八の誘導電動機のｔ相コイルｔ８に接続されて、直列接続される。
【００２４】
そして、これら第一〜第四の誘導電動機の直列接続と、第五〜第八の誘導電動機の直列接続とが、夫々、２台のインバータ４に接続される。
【００２５】
本回路のようにｎ台の誘導電動機を直列に接続することによりｎ台の誘導電動機をインバータ側より見た場合、図１２のように誘導電動機のｒ相コイルｒ１、ｒ相コイルｒ２、ｒ相コイルｒ３、ｒ相コイルｒ４に接続され、また、ｓ相コイルｓ１、ｓ相コイルｓ２、ｓ相コイルｓ３、ｓ相コイルｓ４が接続され、また、ｔ相コイルｔ１、ｔ相コイルｔ２、ｔ相コイルｔ３、ｔ相コイルｔ４に接続された誘導電動機と、ｒ相コイルｒ５、ｒ相コイルｒ６、ｒ相コイルｒ７、ｒ相コイルｒ８が接続され、また、ｓ相コイルｓ５、ｓ相コイルｓ６、ｓ相コイルｓ７、ｓ相コイルｓ８が接続され、また、ｔ相コイルｔ５、ｔ相コイルｔ６、ｔ相コイルｔ７、ｔ相コイルｔ８が接続された誘導電動機が２台のインバータ４に並列に接続された２台の誘導電動機と見なすことが出来る。
【００２６】
実施例３の場合に、第一〜第四の複数の誘導電動機の複数の誘導電動機の誘導電動機受電端（第一のインバータから第一の誘電電動機への入力部であるＲ，Ｓ，Ｔ端子部分）に発生する電圧の跳ね上がりが、前記誘導電動機受電端の第一の誘導電動機の第一の誘導電動機は三相コイルｒ１、ｓ１、ｔ１の耐サージ電圧を超えないように複数の誘導電動機が直列接続され、第五〜第六の複数の誘導電動機の複数の誘導電動機の誘導電動機受電端（第二のインバータから第五の誘電電動機への入力部であるＲ，Ｓ，Ｔ端子部分）に発生する電圧の跳ね上がりが、前記誘導電動機受電端の第五の誘導電動機の三相コイルｒ１、ｓ１、ｔ１の耐サージ電圧を超えないように複数の誘導電動機が直列接続される。なお、実施例３では、第一〜第四の複数の誘導電動機が４つの誘導電動機として、第五〜第八の複数の誘導電動機が４つの誘導電動機として説明をしているが、誘導電動機の数は、第一及び第二のそれぞれのインバータからの誘導電動機受電端の誘導電動機の三相コイルの耐サージ電圧を超えないように設定される。
【００２７】
なお、実施例３では、第一〜第四の複数の誘導電動機を４つの誘導電動機として、第五〜第八の複数の誘導電動機を４つの誘導電動機とし、２つのインバータに、２組の直列接続された複数の誘導電動機が配線接続される例について記載したが、誘導電動機受電端の誘導電動機の三相コイルの耐サージ電圧を超えないように設定可能であれば、インバータの数及びこれに接続される誘導電動機の数は、それぞれのインバータに配線接続される複数の誘導電動機の誘導電動機受電端の誘導電動機の三相コイルの耐サージ電圧を超えないように設定すればよく、２つに限らず、更に３以上のインバータに配線接続するように設定が可能である。
【産業上の利用可能性】
【００２８】
本発明の複数のテーブルローラ誘導電動機を備えた鉄鋼製造設備及び鉄鋼製造設備用テーブルローラ誘導電動機の駆動方法についてのテーブルローラ用インバータ、誘導電動機のシステム構成は、同様の構成を備えた他のテーブルローラ用インバータ、誘導電動機にも適用が可能である。
【図面の簡単な説明】
【００２９】
【図１】図１は、複数のテーブルローラ誘導電動機を備えた鉄鋼製造設備の構成図である。
【図２】図２は、鉄鋼製造設備のインバータと誘導電動機の回路構成図である。
【図３】図３は、従来の鉄鋼製造設備の回路構成を説明する図である。
【図４】図４は、本発明の実施例１の回路構成を説明する図である。
【図５】図５は、本発明の実施例１の回路構成の結線図である。
【図６】図６は、本発明の実施例１の回路構成の結線図のイメージ図である。
【図７】図７は、本発明の実施例２の鉄鋼製造設備の構成図である。
【図８】図８は、本発明の実施例２の回路構成の結線図である。
【図９】図９は、本発明の実施例２の回路構成の結線図のイメージ図である。
【図１０】図１０は、本発明の実施例３の鉄鋼製造設備の構成図である。
【図１１】図１１は、本発明の実施例３の回路構成の結線図である。
【図１２】図１２は、本発明の実施例３の回路構成の結線図のイメージ図である。
【符号の説明】
【００３０】
１    ３相交流電源
２    ブレーカー
３    マグネットコンタクタ
４    インバータ
５    グループスタータ盤
６    誘導電動機電流
７    ローラー
８    材料
９    インバータ出力電圧
１０    誘導電動機受電電圧
１１    ３相交流電源
１２    ブレーカー
１３    マグネットコンタクタ
１４    インバータ
１５    インバータ２次側電流
１６    誘導電動機電流
１７    誘導電動機
１８    ３相交流電源
１９    ブレーカー
２０    マグネットコンタクタ
２１    インバータ
２２    インバータ２次側電流
２３    誘導電動機電流
２４    誘導電動機
【図１】
2009219228.tif 000003
【図２】
2009219228.tif 000004
【図３】
2009219228.tif 000005
【図４】
2009219228.tif 000006
【図５】
2009219228.tif 000007
【図６】
2009219228.tif 000008
【図７】
2009219228.tif 000009
【図８】
2009219228.tif 000010
【図９】
2009219228.tif 000011
【図１０】
2009219228.tif 000012
【図１１】
2009219228.tif 000013
【図１２】
2009219228.tif 000014